(57)【特許請求の範囲】
【請求項１】
下りの送信ダイバーシティに用いるデータ処理方法であって、
ソート・分類ステップと、アンテナポート組合せステップと、第１のマッピング処理ステップと、送信処理ステップとを含み、
ソート・分類ステップにおいて、変調器から出力された第１のシンボル系列におけるシンボルに対してソート・分類を行ない、第１タイプのシンボルと、前記第１タイプのシンボルの重要度より低い第２タイプのシンボルとが交差に配列して形成されたシンボルグループからなる第３のシンボル系列を含む第２のシンボル系列を得るようにし、
アンテナポート組合せステップにおいて、アンテナポートの現在スロットにおける参照信号の分布方式に基づいて、前記現在スロットに対応する第１のアンテナポート組合せ方式を特定し、
第１のマッピング処理ステップにおいて、参照信号が含まれるＯＦＤＭシンボルに対して、前記現在スロットにおいて周波数切替ダイバーシティ技術を用いて、前記第１のアンテナポート組合せ方式に従い、前記シンボルグループに対応する送信ダイバーシティ行列におけるシンボルに対してアンテナポート及びサブキャリアマッピング処理を行ない、同一のアンテナポートにマッピングした二つのシンボルのうち、前記第１タイプのシンボルに関するシンボルがあるサブキャリアが、前記同一のアンテナポートの参照信号があるサブキャリアまで比較的に近いようになっており、
送信処理ステップにおいて、サブキャリアにマッピングしたシンボルに対して高速フーリエ逆変換及びサイクルプレフィックス挿入処理を行なって物理アンテナにマッピングして送信することを特徴とするデータ処理方法。
【請求項２】
請求項１に記載のデータ処理方法であって、
４アンテナシステムの場合、前記現在スロットがスロット１であるとき、前記第１のアンテナポート組合せ方式は、アンテナポート０とアンテナポート３とがペアとなり、アンテナポート１とアンテナポート２とがペアとなり、前記現在スロットがスロット２であるとき、前記第１のアンテナポート組合せ方式は、アンテナポート０とアンテナポート２とがペアとなり、アンテナポート１とアンテナポート３とがペアとなることを特徴とするデータ処理方法。
【請求項３】
請求項１に記載のデータ処理方法であって、
８アンテナシステムの場合、前記現在スロットがスロット１であるとき、前記第１のアンテナポート組合せ方式は、アンテナポート０とアンテナポート３とがペアとなり、アンテナポート１とアンテナポート２とがペアとなり、アンテナポート４とアンテナポート７とがペアとなり、アンテナポート５とアンテナポート６とがペアとなり、前記現在スロットがスロット２であるとき、前記第１のアンテナポート組合せ方式は、アンテナポート０とアンテナポート２とがペアとなり、アンテナポート１とアンテナポート３とがペアとなり、アンテナポート４とアンテナポート６とがペアとなり、アンテナポート５とアンテナポート７とがペアとなることを特徴とするデータ処理方法。
【請求項４】
請求項１乃至３の何れか一項に記載のデータ処理方法であって、
更に、第２のマッピング処理ステップを含み、
第２のマッピング処理ステップにおいて、参照信号が含まれないＯＦＤＭシンボルに対して、前記現在スロットにおいて前記第１のアンテナポート組合せ方式に従い、前記送信ダイバーシティ行列におけるシンボルに対してアンテナポート及びサブキャリアマッピング処理を行ない、前記第１のアンテナポート組合せ方式に従い前記送信ダイバーシティ行列におけるシンボルに対してアンテナポート及びサブキャリアマッピング処理を行なった後、前記第１タイプのシンボルに関するシンボルがあるサブキャリアから、対応するアンテナポート上の参照信号があるサブキャリアまでの周波数領域の距離の和が最も小さいことを特徴とするデータ処理方法。
【請求項５】
請求項４に記載のデータ処理方法であって、
前記第２のマッピング処理ステップにおいて、前記第１タイプのシンボルに関するシンボルがあるサブキャリアから、対応するアンテナポート上の参照信号があるサブキャリアまでの周波数領域の距離の和が最も小さくなるように、前記シンボルグループに対応する送信ダイバーシティ行列におけるＳＦＢＣブロックの順序を調整する或いは同一のＳＦＢＣブロック内のシンボルの順序を調整することを特徴とするデータ処理方法。
【請求項６】
請求項５に記載のデータ処理方法であって、
前記第１タイプのシンボルと第２タイプのシンボルは、それぞれシステムビットシンボルと検証ビットシンボルであることを特徴とするデータ処理方法。
【請求項７】
変調器を含み、下りの送信ダイバーシティに用いる基地局において、
ソート・分類モジュールと、アンテナポート組合せモジュールと、第１のマッピング処理モジュールと、送信処理モジュールとを含み、
ソート・分類モジュールは、前記変調器から出力された第１のシンボル系列におけるシンボルに対してソート・分類を行ない、第１タイプのシンボルと、前記第１タイプのシンボルの重要度より低い第２タイプのシンボルとが交差に配列して形成されたシンボルグループからなる第３のシンボル系列を含む第２のシンボル系列を得るようにし、
アンテナポート組合せモジュールは、アンテナポートの現在スロットにおける参照信号の分布方式に基づいて、前記現在スロットに対応する第１のアンテナポート組合せ方式を特定し、
第１のマッピング処理モジュールは、参照信号が含まれるＯＦＤＭシンボルに対して、前記現在スロットにおいて周波数切替ダイバーシティ技術を用いて、前記第１のアンテナポート組合せ方式に従い、前記シンボルグループに対応する送信ダイバーシティ行列におけるシンボルに対してアンテナポート及びサブキャリアマッピング処理を行ない、同一のアンテナポートにマッピングした二つのシンボルのうち、前記第１タイプのシンボルに関するシンボルがあるサブキャリアが、前記同一のアンテナポートの参照信号があるサブキャリアまで比較的に近いようになっており、
送信処理モジュールは、サブキャリアにマッピングしたシンボルに対して高速フーリエ逆変換及びサイクルプレフィックス挿入処理を行なって物理アンテナにマッピングして送信することを特徴とする基地局。
【請求項８】
請求項７に記載の基地局において、
４アンテナシステムの場合、前記現在スロットがスロット１であるとき、前記第１のアンテナポート組合せ方式は、アンテナポート０とアンテナポート３とがペアとなり、アンテナポート１とアンテナポート２とがペアとなり、前記現在スロットがスロット２であるとき、前記第１のアンテナポート組合せ方式は、アンテナポート０とアンテナポート２とがペアとなり、アンテナポート１とアンテナポート３とがペアとなることを特徴とする基地局。
【請求項９】
請求項７に記載の基地局において、
８アンテナシステムの場合、前記現在スロットがスロット１であるとき、前記第１のアンテナポート組合せ方式は、アンテナポート０とアンテナポート３とがペアとなり、アンテナポート１とアンテナポート２とがペアとなり、アンテナポート４とアンテナポート７とがペアとなり、アンテナポート５とアンテナポート６とがペアとなり、前記現在スロットがスロット２であるとき、前記第１のアンテナポート組合せ方式は、アンテナポート０とアンテナポート２とがペアとなり、アンテナポート１とアンテナポート３とがペアとなり、アンテナポート４とアンテナポート６とがペアとなり、アンテナポート５とアンテナポート７とがペアとなることを特徴とする基地局。
【請求項１０】
請求項７乃至９の何れか一項に記載の基地局において、
更に、第２のマッピング処理モジュールを含み、
第２のマッピング処理モジュールは、参照信号が含まれないＯＦＤＭシンボルに対して、前記現在スロットにおいて前記第１のアンテナポート組合せ方式に従い、前記送信ダイバーシティ行列におけるシンボルに対してアンテナポート及びサブキャリアマッピング処理を行ない、前記第１のアンテナポート組合せ方式に従い前記送信ダイバーシティ行列におけるシンボルに対してアンテナポート及びサブキャリアマッピング処理を行なった後、前記第１タイプのシンボルに関するシンボルがあるサブキャリアから、対応するアンテナポート上の参照信号があるサブキャリアまでの周波数領域の距離の和が最も小さいことを特徴とする基地局。
【請求項１１】
請求項１０に記載の基地局において、
前記第２のマッピング処理モジュールは、前記第１タイプのシンボルに関するシンボルがあるサブキャリアから、対応するアンテナポート上の参照信号があるサブキャリアまでの周波数領域の距離の和が最も小さくなるように、前記シンボルグループに対応する送信ダイバーシティ行列におけるＳＦＢＣブロックの順序を調整する或いは同一のＳＦＢＣブロック内のシンボルの順序を調整することを特徴とする基地局。
【請求項１２】
請求項７乃至９の何れか一項に記載の基地局において、
前記第１タイプのシンボルと第２タイプのシンボルは、それぞれシステムビットシンボルと検証ビットシンボルであることを特徴とする基地局。
【発明の詳細な説明】
【技術分野】
【０００１】
本発明は、下りの送信ダイバーシティに用いるアンテナポート組合せとサブキャリアマッピングに関する。具体的に、下りの送信ダイバーシティに用いるアンテナポート組合せとサブキャリアマッピング方法及びシステムに関し、重要な変調シンボルに対してよりよい保護を提供し、伝送の信頼性を向上する。
【背景技術】
【０００２】
特に高移動性と低ＳＩＮＲを有するユーザ設備ＵＥ（User Equipment）にとって、送信ダイバーシティＴｘＤ（Transmit Diversity）は、非常に重要なマルチ入力マルチ出力ＭＩＭＯ送信方式である。
【０００３】
通常、通信システムは、チャネル符号化により誤りの検証と訂正を行ない、それによりデータ伝送の信頼性を向上させる。チャネル符号器の出力にとって、異なったビットには異なった重要度を有し、例えばシステムビットには通常比較的に高い重要度を有するが、検証ビットには通常比較的に低い重要度を有する。
【０００４】
３ＧＰＰの長期進化ＬＴＥ（Long Term Evolution）における下り送信ダイバーシティ技術において、空間周波数ブロックコードＳＦＢＣ（Space-Frequency Block Code）と周波数切替ダイバーシティＦＳＴＤ（FREQUENCY SWITCH TRANSMIT Diversity）とを組み合わせた案を採用し、その符号化行列は図１に示されている。
【０００５】
図１に示すように、該案において、一定のアンテナポート組合せを採用しており、即ちアンテナポート０とアンテナポート２とがペアとなり一つのＳＦＢＣブロックを送信し、アンテナポート１とアンテナポート３とがペアとなり一つのＳＦＢＣブロックを送信する。
【０００６】
ＬＴＥにおいて一定のアンテナポート組合せを採用する原因として、アンテナポートが対応する参照信号ＲＳ（Reference Signal）の密度が異なるからである。
【０００７】
図２ａ、２ｂ、２ｃ、２ｄはそれぞれアンテナポート０、１、２、３の参照信号の分布を示す図面である。
【０００８】
ＬＴＥにおいてこのようなアンテナポート組合せ方式（高密度参照信号アンテナポートと低密度参照信号アンテナポートとの組合せ）を採用することは、２つのＳＦＢＣブロックがバランスする性能を取得し、即ち２つのＳＦＢＣブロックに対して同一の保護を行うためである。
【０００９】
ＬＴＥにおける送信ダイバーシティの送信機の構造は、図３に示すとおりである。変調器から出力されたシンボルにはシステムビットシンボルＳと、検証ビットシンボルＰの二部分を含む。
【００１０】
システムビットシンボルは、検証ビットシンボルより高い重要度を有する。
【００１１】
しかし、異なったサブキャリアから参照信号のあるサブキャリアまでの周波数領域の距離が異なるため、異なった信頼性を有する。通常、参照信号のあるサブキャリアまでの周波数領域の距離が小さいサブキャリアには高い信頼性を有する。
【発明の概要】
【発明が解決しようとする課題】
【００１２】
しかし、ＬＴＥにおける送信ダイバーシティ案は、アンテナ組合せとサブキャリアマッピングを行うときに、サブキャリアの信頼性の相違を考慮しなく、シンボルの重要度も区分しない。この場合、重要なシンボルが信頼性の低いサブキャリアにマッピングされることがあり、最適な性能を取得できない。
【００１３】
シングルアンテナシステムの場合、上記問題を解決するために、改良したサブキャリアマッピング案が提案されている。該案は、比較的に重要なシンボルを、参照信号のあるサブキャリアとの周波数領域の距離が比較的に小さいサブキャリアにマッピングする。しかし、この方法は、マルチアンテナ送信ダイバーシティ案に適用しない。これについて下記のように説明する。
【００１４】
図４は、４アンテナシステムにおいて、従来方法の一定アンテナポート組合せ方式に従い送信ダイバーシティ符号化行列におけるシンボルが対応するアンテナポートとサブキャリアにマッピングされた後の分布を示す図面である。図４に示すように、Ｒ０、Ｒ１、Ｒ２、Ｒ３はそれぞれアンテナポート０、１、２、３上の参照信号である。アンテナポート０と２のペア、アンテナポート１と３のペアを一定に採用するため、スロット１のアンテナポートの参照信号の配列方式を考慮し、スロット１において、シンボルがアンテナポートとサブキャリアにマッピングされた後、図４に示すように、システムビットシンボルＳ０がアンテナポート０の参照信号Ｒ０に最も近い位置にマッピングされるのであれば、ＳＦＢＣの特性により、システムビットシンボルＳ０＊がアンテナポート２の参照信号Ｒ２に最も近い位置にマッピングされることができず、かえって検証ビットシンボル‐Ｐ０＊がＲ２に最も近い位置にマッピングされ、即ちＳ０＊と比べ、‐Ｐ０＊がよりよい保護を受けられることとなり、それによりシステム性能の損失が生じることがある。同様、Ｓ１＊、Ｓ２＊、Ｓ３＊と比べ、‐Ｐ１＊、‐Ｐ２＊、‐Ｐ３＊はよりよい保護を受けられる。
【００１５】
もちろん、以上は一種のサブキャリアマッピング方式にすぎない。しかし、アンテナポートに一定の組合せを行われれば、上記問題が必ず存在する。また、他のマルチアンテナシステムにおいても、同様に上記問題が存在する。
【００１６】
そこで、本発明の目的は、下りの送信ダイバーシティに用いるデータ処理方法及び基地局を提供し、重要な変調シンボルに対してよりよい保護を提供し、システム性能の損失を低減することである。
【課題を解決するための手段】
【００１７】
前記目的を実現するために、本発明の実施例は、下りの送信ダイバーシティに用いるデータ処理方法を提供する。該データ処理方法は、ソート・分類ステップと、アンテナポート組合せステップと、第１のマッピング処理ステップと、送信処理ステップとを含む。
【００１８】
ソート・分類ステップにおいて、変調器から出力された第１のシンボル系列におけるシンボルに対してソート・分類を行ない、第１タイプのシンボルと、前記第１タイプのシンボルの重要度より低い第２タイプのシンボルとが交差に配列して形成されたシンボルグループからなる第３のシンボル系列を含む第２のシンボル系列を得るようにする。
【００１９】
アンテナポート組合せステップにおいて、アンテナポートの現在スロットにおける参照信号の分布方式に基づいて、前記現在スロットに対応する第１のアンテナポート組合せ方式を特定する。
【００２０】
第１のマッピング処理ステップにおいて、参照信号が含まれるＯＦＤＭ（直交周波数分割多重）シンボルに対して、前記現在スロットにおいて周波数切替ダイバーシティ技術を用いて、前記第１のアンテナポート組合せ方式に従い、前記シンボルグループに対応する送信ダイバーシティ行列におけるシンボルに対してアンテナポート及びサブキャリアマッピング処理を行なう。同一のアンテナポートにマッピングした二つのシンボルのうち、前記第１タイプのシンボルに関するシンボルがあるサブキャリアが、前記同一のアンテナポートの参照信号があるサブキャリアまで比較的に近いようになっている。
【００２１】
送信処理ステップにおいて、サブキャリアにマッピングしたシンボルに対して高速フーリエ逆変換及びサイクルプレフィックス挿入処理を行なって物理アンテナにマッピングして送信する。
【００２２】
前記データ処理方法において、４アンテナシステムの場合、前記現在スロットがスロット１であるとき、前記第１のアンテナポート組合せ方式は、アンテナポート０とアンテナポート３とがペアとなり、アンテナポート１とアンテナポート２とがペアとなり、前記現在スロットがスロット２であるとき、前記第１のアンテナポート組合せ方式は、アンテナポート０とアンテナポート２とがペアとなり、アンテナポート１とアンテナポート３とがペアとなる。
【００２３】
前記データ処理方法において、８アンテナシステムの場合、前記現在スロットがスロット１であるとき、前記第１のアンテナポート組合せ方式は、アンテナポート０とアンテナポート３とがペアとなり、アンテナポート１とアンテナポート２とがペアとなり、アンテナポート４とアンテナポート７とがペアとなり、アンテナポート５とアンテナポート６とがペアとなり、前記現在スロットがスロット２であるとき、前記第１のアンテナポート組合せ方式は、アンテナポート０とアンテナポート２とがペアとなり、アンテナポート１とアンテナポート３とがペアとなり、アンテナポート４とアンテナポート６とがペアとなり、アンテナポート５とアンテナポート７とがペアとなる。
【００２４】
前記データ処理方法は、更に第２のマッピング処理ステップを含む。第２のマッピング処理ステップにおいて、参照信号が含まれないＯＦＤＭシンボルに対して、前記現在スロットにおいて前記第１のアンテナポート組合せ方式に従い、前記送信ダイバーシティ行列におけるシンボルに対してアンテナポート及びサブキャリアマッピング処理を行なう。前記第１のアンテナポート組合せ方式に従い前記送信ダイバーシティ行列におけるシンボルに対してアンテナポート及びサブキャリアマッピング処理を行なった後、前記第１タイプのシンボルに関するシンボルがあるサブキャリアから、対応するアンテナポート上の参照信号があるサブキャリアまでの周波数領域の距離の和が最も小さい。
【００２５】
前記データ処理方法は、前記第２のマッピング処理ステップにおいて、前記第１タイプのシンボルに関するシンボルがあるサブキャリアから、対応するアンテナポート上の参照信号があるサブキャリアまでの周波数領域の距離の和が最も小さくなるように、前記シンボルグループに対応する送信ダイバーシティ行列におけるＳＦＢＣブロックの順序を調整する或いは同一のＳＦＢＣブロック内のシンボルの順序を調整する。
【００２６】
前記データ処理方法において、前記第１タイプのシンボルと第２タイプのシンボルは、それぞれシステムビットシンボルと検証ビットシンボルである。
【００２７】
前記目的を実現するために、本発明の実施例は更に、変調器を含み、下りの送信ダイバーシティに用いる基地局を提供する。該基地局は、ソート・分類モジュールと、アンテナポート組合せモジュールと、第１のマッピング処理モジュールと、送信処理モジュールとを含む。
【００２８】
ソート・分類モジュールは、前記変調器から出力された第１のシンボル系列におけるシンボルに対してソート・分類を行ない、第１タイプのシンボルと、前記第１タイプのシンボルの重要度より低い第２タイプのシンボルとが交差に配列して形成されたシンボルグループからなる第３のシンボル系列を含む第２のシンボル系列を得るようにする。
【００２９】
アンテナポート組合せモジュールは、アンテナポートの現在スロットにおける参照信号の分布方式に基づいて、前記現在スロットに対応する第１のアンテナポート組合せ方式を特定する。
【００３０】
第１のマッピング処理モジュールは、参照信号が含まれるＯＦＤＭシンボルに対して、前記現在スロットにおいて周波数切替ダイバーシティ技術を用いて、前記第１のアンテナポート組合せ方式に従い、前記シンボルグループに対応する送信ダイバーシティ行列におけるシンボルに対してアンテナポート及びサブキャリアマッピング処理を行なう。同一のアンテナポートにマッピングした二つのシンボルのうち、前記第１タイプのシンボルに関するシンボルがあるサブキャリアが、前記同一のアンテナポートの参照信号があるサブキャリアまで比較的に近いようになっている。
【００３１】
送信処理モジュールは、サブキャリアにマッピングしたシンボルに対して高速フーリエ逆変換及びサイクルプレフィックス挿入処理を行なって物理アンテナにマッピングして送信する。
【００３２】
前記基地局において、４アンテナシステムの場合、前記現在スロットがスロット１であるとき、前記第１のアンテナポート組合せ方式は、アンテナポート０とアンテナポート３とがペアとなり、アンテナポート１とアンテナポート２とがペアとなり、前記現在スロットがスロット２であるとき、前記第１のアンテナポート組合せ方式は、アンテナポート０とアンテナポート２とがペアとなり、アンテナポート１とアンテナポート３とがペアとなる。
【００３３】
前記基地局において、８アンテナシステムの場合、前記現在スロットがスロット１であるとき、前記第１のアンテナポート組合せ方式は、アンテナポート０とアンテナポート３とがペアとなり、アンテナポート１とアンテナポート２とがペアとなり、アンテナポート４とアンテナポート７とがペアとなり、アンテナポート５とアンテナポート６とがペアとなり、前記現在スロットがスロット２であるとき、前記第１のアンテナポート組合せ方式は、アンテナポート０とアンテナポート２とがペアとなり、アンテナポート１とアンテナポート３とがペアとなり、アンテナポート４とアンテナポート６とがペアとなり、アンテナポート５とアンテナポート７とがペアとなる。
【００３４】
前記基地局において、更に第２のマッピング処理モジュールを含む。第２のマッピング処理モジュールを含む。第２のマッピング処理モジュールは、参照信号が含まれないＯＦＤＭシンボルに対して、前記現在スロットにおいて前記第１のアンテナポート組合せ方式に従い、前記送信ダイバーシティ行列におけるシンボルに対してアンテナポート及びサブキャリアマッピング処理を行なう。前記第１のアンテナポート組合せ方式に従い前記新規の送信ダイバーシティ行列におけるシンボルに対してアンテナポート及びサブキャリアマッピング処理を行なった後、前記第１タイプのシンボルに関するシンボルがあるサブキャリアから、対応するアンテナポート上の参照信号があるサブキャリアまでの周波数領域の距離の和が最も小さい。
【００３５】
前記基地局において、前記第２のマッピング処理モジュールは、前記第１タイプのシンボルに関するシンボルがあるサブキャリアから、対応するアンテナポート上の参照信号があるサブキャリアまでの周波数領域の距離の和が最も小さくなるように、前記シンボルグループに対応する送信ダイバーシティ行列におけるＳＦＢＣブロックの順序を調整する或いは同一のＳＦＢＣブロック内のシンボルの順序を調整する。
【００３６】
前記基地局において、前記第１タイプのシンボルと第２タイプのシンボルは、それぞれシステムビットシンボルと検証ビットシンボルである。
【発明の効果】
【００３７】
本発明の実施例は、下記の有益な効果を有する。
【００３８】
本発明の実施例において、まず変調器から出力された、第１タイプのシンボルと第２タイプのシンボルとを含む第１のシンボル系列におけるシンボルに対してソート・分類を行ない第２のシンボル系列を得る。上記第２のシンボル系列には少なくとも一つのシンボルグループを含む。上記シンボルグループには、第１タイプのシンボルと第２タイプのシンボルとが交差に配列し、それにより重要なシンボルが信頼性の高いサブキャリアに割り当てられることは可能となる。それから、アンテナポートの現在スロットにおける参照信号の分布方式に基づいて、上記現在スロットに対応する第１のアンテナポート組合せ方式を特定する。上記現在スロットにおいて、上記第１のアンテナポート組合せ方式に従いシンボルグループに対応する送信ダイバーシティ行列におけるシンボルに対してアンテナポート及びサブキャリアマッピング処理を行なった後、同一アンテナポートにマッピングされた２つのシンボルのうち、第１タイプのシンボルに関するシンボルがあるサブキャリアの方は、上記同一アンテナポートの参照信号があるサブキャリアまで比較的に近い。従って、第１タイプのシンボルは、よりよい保護を受け、システム性能の損失が低減されている。
【００３９】
更に、参照信号が含まれないＯＦＤＭシンボルに対して、上記現在スロットにおいて上記第１のアンテナポート組合せ方式に従い、上記送信ダイバーシティ行列におけるシンボルに対してアンテナポート及びサブキャリアマッピング処理を行なう。上記第１のアンテナポート組合せ方式に従い上記新規の送信ダイバーシティ行列におけるシンボルに対してアンテナポート及びサブキャリアマッピング処理を行なった後、上記第１タイプのシンボルに関するシンボルがあるサブキャリアから、対応するアンテナポート上の参照信号があるサブキャリアまでの周波数領域の距離の和が最も小さく、第１タイプのシンボルを更に保護している。
【図面の簡単な説明】
【００４０】
【図１】図１は、一定アンテナポートぺリングの場合、ＬＴＥ送信ダイバーシティ符号化行列を示す図面である。
【図２】図２ａ〜図２ｄはそれぞれ４アンテナシステムのアンテナポート１〜４の参照信号の分布を示す図面である。
【図３】図３は、ＬＴＥ送信ダイバーシティの送信機の構造図である。
【図４】図４は、４アンテナシステムにおいて一定アンテナポート組合せ方式を採用する場合、送信ダイバーシティ符号化行列におけるシンボルがアンテナポートとサブキャリアにマッピングされた後の分布を示す図面である。
【図５】図５は、本発明の実施例の、下りの送信ダイバーシティに用いるデータ処理法法の流れを示す図面である。
【図６】図６は、４アンテナシステムにおいて本発明の実施例のアンテナポート組合せ方式を採用する場合、送信ダイバーシティ符号化行列におけるシンボルがアンテナポートとサブキャリアにマッピングされた後の分布を示す図面である。
【図７】図７ａ〜図７ｂはそれぞれ８アンテナシステムのアンテナポートのスロット１とスロット２における参照信号の分布を示す図面である。
【図８】図８は、８アンテナポートのＬＴＥ送信ダイバーシティ符号化行列を示す図面である。
【図９】図９は、８アンテナシステムにおいてスロット１に本発明の実施例のアンテナポート組合せ方式を採用する場合、送信ダイバーシティ符号化行列におけるシンボルがアンテナポートとサブキャリアにマッピングされた後の分布を示す図面である。
【図１０】図１０は、８アンテナシステムにおいてスロット２に本発明の実施例のアンテナポート組合せ方式を採用する場合、送信ダイバーシティ符号化行列におけるシンボルがアンテナポートとサブキャリアにマッピングされた後の分布を示す図面である。
【図１１】図１１は、第１のアンテナポート組合せ方式を採用して原送信ダイバーシティ行列と新規送信ダイバーシティ行列のシンボルに対してアンテナポートとサブキャリアマッピング処理を実行した後、第１のスロットにおけるシンボルの分布を示す図面である。
【図１２】図１２は、第１のアンテナポート組合せ方式を採用して原送信ダイバーシティ行列と新規送信ダイバーシティ行列のシンボルに対してアンテナポートとサブキャリアマッピング処理を実行した後、第２のスロットにおけるシンボルの分布を示す図面である。
【図１３】図１３は、本発明の実施例を利用した方法のシミュレーション結果を示す図面である。
【図１４】図１４は、本発明の実施例を利用した方法のシミュレーション結果を示す図面である。
【図１５】図１５は、本発明の実施例を利用した方法のシミュレーション結果を示す図面である。
【発明を実施するための形態】
【００４１】
本発明の実施例において、変調器から出力されたシンボルに対してあらためてソートを行なうことにより、なるべく第１タイプのシンボルと、第１タイプのシンボルより重要度が低い第２タイプのシンボルとが交差に配列するようにし、そして、動的なアンテナポート組合せ及びサブキャリアマッピングを行なうことにより、重要なシンボルを、信頼性が高いサブキャリア（参照信号までの距離が近い）にマッピングさせる。
【００４２】
図５に示すように、本発明の第１の実施例において、下りの送信ダイバーシティに用いるデータ処理方法には下記のステップを含む。
【００４３】
ソート・分類ステップ５１において、変調器から出力された、第１タイプのシンボル（記載を便利にするため、「Ａ」に命名する）と第２タイプのシンボル（記載を便利にするため、「Ｂ」に命名する）とを含む第１のシンボル系列におけるシンボルに対してソート・分類を行ない、第２のシンボル系列を得る。上記第２のシンボル系列には、第３のシンボル系列を含む。上記第３のシンボル系列は、シンボルグループからなる。各上記シンボルグループにおいて、第１タイプのシンボルと、第２タイプのシンボルとが交差に配列している。言い換えれば、上記第２のシンボル系列には、少なくとも一つのシンボルグループを含み、上記シンボルグループにおいて、ＡとＢが交差に配列する。上記Ａに関するシンボル（自身も含め）の重要度は、上記Ｂに関するシンボルの重要度より高い。
【００４４】
もちろん、可能な限り伝送の信頼性を向上させるために、第２のシンボル系列に可能な限り多くのシンボルグループを含ませるべきである。
【００４５】
変調器から出力された第１のシンボル系列において、ＡとＢの数が等しくなると、第２のシンボル系列のすべてのシンボルグループには、ＡＢＡＢの方式で配列可能である。
【００４６】
この場合、第２のシンボル系列は、第３のシンボル系列と同一である。
【００４７】
変調器から出力された第１のシンボル系列において、Ａの数がＢの数より大きくなると、余分なＡはＡＡＡＡの方式で配列し、他のシンボルグループはＡＢＡＢの方式で配列する。
【００４８】
この場合、第３のシンボル系列は、第２のシンボル系列の一部である。
【００４９】
変調器から出力された第１のシンボル系列において、Ｂの数がＡの数より大きくなると、余分なＢはＢＢＢＢの方式で配列し、他のシンボルグループはＡＢＡＢの方式で配列する。
【００５０】
この場合、第３のシンボル系列は、第２のシンボル系列の一部である。
【００５１】
Ｂの数がＡの数より大きい場合を例として下記のように説明する。
【００５２】
第１のシンボル系列がＡＡＡＡＡＡＡＡＡＡＢＢＢＢＢＢＢＢＢＢＢＢＢＢであると仮定すると、第２のシンボル系列はＡＢＡＢＡＢＡＢＡＢＡＢＡＢＡＢＡＢＡＢＢＢＢＢであり、第３のシンボル系列はＡＢＡＢＡＢＡＢＡＢＡＢＡＢＡＢＡＢＡＢであり、シンボルグループはＡＢＡＢである。
【００５３】
従来技術のＬＴＥにおいて、変調出力信号の重要度が考慮されない。ＳＦＢＣ行列に送られるシンボルがすべて重要なシンボル（システムビットシンボルＳ）である場合、ＳＦＢＣの特徴を考慮すると、必ず重要なシンボルが信頼性の低いサブキャリアに割り当てられることがあり、必然的に伝送の信頼性を低減する。
【００５４】
送信ダイバーシティ符号化行列が占めるサブキャリアには常に信頼性の高いサブキャリアと信頼性の低いサブキャリアを含むため、上記のステップ５１において重要なシンボルと重要でないシンボルとを交差して配列させることにより、新たなソート・分類が送信符号化行列の特性を充分に適応でき、それにより重要なシンボルがすべて信頼性の高いサブキャリアに割り当てられることを可能にする。
【００５５】
アンテナポート組合せステップ５２において、アンテナポートの現在スロットにおける参照信号の分布方式に基づいて、上記現在スロットに対応する第１のアンテナポート組合せ方式を特定する。
【００５６】
上記第１のアンテナポート組合せ方式は、下記の特徴を有する。
【００５７】
上記現在スロットにおいて、上記第１のアンテナポート組合せ方式に従い、シンボルグループに対応する送信ダイバーシティ行列におけるシンボルに対してアンテナポート及びサブキャリアマッピング処理を行なった後、同一のアンテナポートにマッピングした二つのシンボルのうち、Ａに関するシンボル（Ａ自身及びＡ＊或いは‐Ａ＊を含む。Ａ＊のシンボルは、シンボルグループにおけるＡの位置により定められる）があるサブキャリアが、上記同一のアンテナポートの参照信号があるサブキャリアまで比較的に近い。
【００５８】
周波数差分の角度から見れば、下記のように理解できる。
【００５９】
Ａに関するシンボルがあるサブキャリアと、上記同一のアンテナポートの参照信号があるサブキャリアとの間の中心周波数差分の絶対値は、Ｂに関するシンボルがあるサブキャリアと、第１のアンテナポートの参照信号があるサブキャリアとの間の中心周波数差分の絶対値より小さい。
【００６０】
簡単に言えば、同一のアンテナポートにマッピングしたシンボルは、Ａ（サブキャリアａにマッピングしたと仮定する）とＢ（サブキャリアｂにマッピングしたと仮定する）か、Ａ＊（サブキャリアｃにマッピングしたと仮定する）、‐Ｂ＊（サブキャリアｄにマッピングしたと仮定する）である。上記第１のアンテナポート組合せ方式に従い、シンボルグループに対応する送信ダイバーシティ行列におけるシンボルに対してアンテナポート及びサブキャリアマッピング処理を行なった後、サブキャリアｂより、サブキャリアａは、Ａがあるアンテナポートの参照信号があるサブキャリアまで比較的に近く、サブキャリアｄより、サブキャリアｃは、Ａ＊があるアンテナポートの参照信号があるサブキャリアまで比較的に近い。
【００６１】
第１のマッピング処理ステップ５３において、参照信号が含まれるＯＦＤＭシンボルに対して、上記現在スロットにおいて周波数切替ダイバーシティ技術を用いて、上記第１のアンテナポート組合せ方式に従い、シンボルグループに対応する送信ダイバーシティ行列におけるシンボルに対してアンテナポート及びサブキャリアマッピング処理を行なう。
【００６２】
アンテナポート組合せが特定した場合、従来技術のアンテナポート及びサブキャリアマッピング処理方法に従い、アンテナポート及びサブキャリアマッピング処理を行なう。
【００６３】
送信処理ステップ５４において、サブキャリアにマッピングしたシンボルに対して高速フーリエ逆変換及びサイクルプレフィックス挿入処理を行なって物理アンテナにマッピングして送信する。
【００６４】
サブキャリアマッピング案について、ＬＴＥの関連基準において既に定められているため、ここでは、それを結合してステップ５３を更に詳細に記載する。
【００６５】
Ａ１Ｂ１Ａ２Ｂ２のシンボルグループにおいて、対応する送信ダイバーシティ行列におけるシンボルは、Ａ１、Ｂ１、Ａ２、Ｂ２、Ａ１＊、‐Ｂ１＊、Ａ２＊、‐Ｂ２＊を含む。
【００６６】
Ａ１、Ｂ１、Ａ２、Ｂ２が対応するアンテナポートとサブキャリアにマッピングした後、アンテナポート組合せがいったん特定すると、Ａ１＊、‐Ｂ１＊、Ａ２＊、‐Ｂ２＊も対応的に特定することとなる。‐Ｂ１＊はＡ１があるサブキャリアにマッピングし、Ａ１＊はＢ１があるサブキャリアにマッピングし、‐Ｂ２＊はＡ２があるサブキャリアにマッピングし、Ａ２＊はＢ２があるサブキャリアにマッピングするからである。
【００６７】
本発明の具体的な実施例において、まずＡ１、Ｂ１にアンテナポートａ（アンテナポートａの参照信号がサブキャリア３にあると仮定する）を選択し、Ａ１、Ｂ１をサブキャリア１とサブキャリア２にマッピングする。サブキャリア１とサブキャリア３との周波数領域の距離は、サブキャリア２とサブキャリア３との周波数領域の距離より小さい。現在スロットに対応するアンテナポート組合せ方式に基づいて、アンテナポートａがアンテナポートｂ（アンテナポートｂの参照信号がサブキャリア４にあると仮定する）とペアになると仮定すると、Ａ１＊、‐Ｂ１＊はアンテナポートｂにマッピングし、サブキャリア２とサブキャリア１にマッピングする。サブキャリア２とサブキャリア４との周波数領域の距離は、サブキャリア１とサブキャリア４との周波数領域の距離より小さい。
【００６８】
背景技術部分においても言及したように、参照信号の分布方式がスロットに応じて変化するアンテナポートにとって、従来技術の一定アンテナポート組合せ方式を用いる場合、すべてのスロットにおいて重要なシンボルはよりよい保護を受けられることを保証できない。以下、４アンテナシステムを例として、本発明の実施例の方法により上記問題を解決できることを説明する。
【００６９】
本発明の実施例は、ステップ５２においてアンテナポートの現在スロットにおける参照信号の分布方式に基づいて上記現在スロットに対応するアンテナポート組合せ方式を特定する必要がある。従来技術にスロット１において比較的に重要なシンボルはよりよい保護を得られないため、以下スロット１を例として説明する。
【００７０】
図２ａ〜図２ｄは４アンテナシステムの参照信号の分布を示す。図２ａ〜図２ｄからわかるように、４アンテナシステムの場合、アンテナポート２と３の参照信号は対称に分布するのではない。即ち、アンテナポート２と３がスロット１における参照信号の分布方式は、スロット２における参照信号の分布方式とは異なる。従って、上記相違に基づき、本発明の実施例は、スロット１に対して、アンテナポート０とアンテナポート３とはペアとなり、アンテナポート１とアンテナポート２とはペアとなる。このような組合せ方式の元、スロット１において、シンボルがアンテナポートとサブキャリアにマッピングした後、図６に示すように、Ｓ０はアンテナポート０にマッピングし、Ｓ０があるサブキャリアは、アンテナポート０上の参照信号Ｒ０があるサブキャリアとは隣接するため、Ｓ０は最もよい保護を受けられることができ、一方、Ｓ０＊はアンテナポート３にマッピングし、Ｓ０＊があるサブキャリアは、アンテナポート３上の参照信号Ｒ３があるサブキャリアとは隣接するため、Ｓ０＊も最もよい保護を受けられることができるので、同一のＳＦＢＣブロック上のシステムビット関係シンボルＳ０とＳ０＊はともに最もよい保護を受けられている。図６から分かるように、スロット１において、システムビット関係シンボル（Ｓ０、Ｓ０＊、Ｓ１、Ｓ１＊、Ｓ２、Ｓ２＊、Ｓ３、Ｓ３＊）も同様に最もよい保護を受けられている。
【００７１】
同様、スロット２において、アンテナポート０とアンテナポート２とはペアとなり、アンテナポート１とアンテナポート３とはペアとなる。このような組合せ方式の元、システムビット関係シンボル（Ｓ０、Ｓ０＊、Ｓ１、Ｓ１＊、Ｓ２、Ｓ２＊、Ｓ３、Ｓ３＊）も同様に最もよい保護を受けられている。
【００７２】
従って、従来技術と比較して、重要な変調シンボルはよりよく保護されており、システム性能の損失は低減されている。
【００７３】
以下、８アンテナシステムを用いて本発明の実施例を更に下記のように例示する。
【００７４】
８アンテナシステムにおいて、参照信号の分布は、図７ａと図７ｂに示すようになっており、そのダイバーシティ符号化行列は図８に示すようになっている。
【００７５】
本発明の実施例は、スロット１に対して、アンテナポート０とアンテナポート３とはペアとなり、アンテナポート１とアンテナポート２とはペアとなり、アンテナポート４とアンテナポート７とはペアとなり、アンテナポート５とアンテナポート６とはペアとなる。このような組合せ方式の元、スロット１において、シンボルがアンテナポートとサブキャリアにマッピングした後、図９に示すように、Ｓ０はアンテナポート０にマッピングし、Ｓ０があるサブキャリアは、アンテナポート０上の参照信号Ｒ０があるサブキャリアとは隣接するため、Ｓ０は最もよい保護を受けられることができ、一方、Ｓ０＊はアンテナポート３にマッピングし、Ｓ０＊があるサブキャリアは、アンテナポート３上の参照信号Ｒ３があるサブキャリアとは隣接するため、Ｓ０＊も最もよい保護を受けられることができるので、同一のＳＦＢＣブロック上のシステムビット関係シンボルＳ０とＳ０＊はともに最もよい保護を受けられている。図９から分かるように、スロット１において、システムビット関係シンボル（Ｓ０、Ｓ０＊、Ｓ１、Ｓ１＊、Ｓ２、Ｓ２＊、Ｓ３、Ｓ３＊）も同様に最もよい保護を受けられている。
【００７６】
同様、スロット２において、アンテナポート０とアンテナポート２とはペアとなり、アンテナポート１とアンテナポート３とはペアとなり、アンテナポート４とアンテナポート６とはペアとなり、アンテナポート５とアンテナポート７とはペアとなる。このような組合せ方式の元、スロット１において、シンボルがアンテナポートとサブキャリアにマッピングした後、図１０に示すように、システムビット関係シンボル（Ｓ０、Ｓ０＊、Ｓ１、Ｓ１＊、Ｓ２、Ｓ２＊、Ｓ３、Ｓ３＊）も同様に最もよい保護を受けられている。
【００７７】
従って、従来技術と比較して、重要な変調シンボルはよりよく保護されており、システム性能の損失は低減されている。
【００７８】
もちろん、他の数のアンテナシステムでも、本発明の実施例の方法が同様に適用することが理解されよう。ここでは枚挙しない。
【００７９】
上記処理により、参照信号が含まれるＯＦＤＭシンボルにおけるシステムビットシンボルは最もよい保護を受けられるようにすることができるが、参照信号が含まれないＯＦＤＭシンボルに対しても上記アンテナポート組合せ方式は同様に適用できる。しかし、シンボルグループに対応する送信ダイバーシティ行列における比較的に重要なシンボルはよりよい保護を受けられるようにするために、参照信号が含まれないＯＦＤＭシンボルに対して、更に第２のマッピング処理ステップが行われる。
【００８０】
第２のマッピング処理ステップにおいて、参照信号が含まれないＯＦＤＭシンボルに対して、上記現在スロットにおいて上記第１のアンテナポート組合せ方式に従い、上記送信ダイバーシティ行列におけるシンボルに対してアンテナポート及びサブキャリアマッピング処理を行なう。上記第１のアンテナポート組合せ方式に従い上記新規の送信ダイバーシティ行列におけるシンボルに対してアンテナポート及びサブキャリアマッピング処理を行なった後、比較的に重要なシンボルがあるサブキャリアから、対応するアンテナポート上の参照信号があるサブキャリアまでの周波数領域の距離の和が最も小さい。
【００８１】
４アンテナシステムを例として下記のように説明する。
【００８２】
図１１の左側のテーブルは、第１のアンテナポート組合せ方式を採用して原送信ダイバーシティ行列のシンボルに対してアンテナポートとサブキャリアマッピング処理を実行した後、第１のスロットにおけるシンボルの分布を示す。Ｓ０Ｐ０Ｓ１Ｐ１とＳ２Ｐ２Ｓ３Ｐ３を例として説明する。
【００８３】
図１１の左側のテーブルに示すように、Ｓ０はＴｘ０にマッピングし、Ｒ０までの距離は０であり、Ｓ０＊はＴｘ３にマッピングし、Ｒ３までの距離は２であり、Ｓ１はＴｘ１にマッピングし、Ｒ１までの距離は１であり、Ｓ１＊はＴｘ２にマッピングし、Ｒ２までの距離は３であるので、距離の和は０＋２＋１＋３＝６となる。
【００８４】
本発明の実施例の方法を利用する場合、まずシンボルグループＳ０Ｐ０Ｓ１Ｐ１に対応する送信ダイバーシティ行列における異なったＳＦＢＣブロックの順番を調整し、それからアンテナポート及びサブキャリアマッピングを行ない、右側のテーブルに示すシンボルの分布を得る。Ｓ０はＴｘ０にマッピングし、Ｒ０までの距離は１であり、Ｓ０＊はＴｘ３にマッピングし、Ｒ３までの距離は０であり、Ｓ１はＴｘ１にマッピングし、Ｒ１までの距離は０であり、Ｓ１＊はＴｘ２にマッピングし、Ｒ２までの距離は１であるので、距離の和は１＋０＋０＋１＝２となる。
【００８５】
以下、Ｓ２Ｐ２Ｓ３Ｐ３を例として説明する。
【００８６】
図１１の左側のテーブルに示すように、Ｓ２はＴｘ０にマッピングし、Ｒ０までの距離は１であり、Ｓ２＊はＴｘ３にマッピングし、Ｒ３までの距離は２であり、Ｓ３はＴｘ１にマッピングし、Ｒ１までの距離は０であり、Ｓ３＊はＴｘ２にマッピングし、Ｒ２までの距離は１であるので、距離の和は１＋２＋０＋１＝４となる。
【００８７】
本発明の実施例の方法を利用する場合、まずシンボルグループＳ２Ｐ２Ｓ３Ｐ３に対応する送信ダイバーシティ行列における同一ＳＦＢＣブロック内のシステムビットシンボル（Ｓ）と検証ビットシンボル（Ｐ）の順番を調整し、それからアンテナポート及びサブキャリアマッピングを行ない、図１１の右側のテーブルに示すシンボルの分布を得る。Ｓ２はＴｘ０にマッピングし、Ｒ０までの距離は１であり、Ｓ２＊はＴｘ３にマッピングし、Ｒ３までの距離は１であり、Ｓ３はＴｘ１にマッピングし、Ｒ１までの距離は１であり、Ｓ３＊はＴｘ２にマッピングし、Ｒ２までの距離は０であるので、距離の和は１＋１＋１＋０＝３となる。
【００８８】
全体的に言うと、比較的に重要なシンボルがあるサブキュリアから、対応するアンテナ上の参照信号があるサブキャリアまでの周波数領域の距離の和が最も小さいため、比較的に重要なシンボルはよりよい保護を受けている。
【００８９】
図１２の左側のテーブルは、第１のアンテナポート組合せ方式を採用して原送信ダイバーシティ行列のシンボルに対してアンテナポートとサブキャリアマッピング処理を実行した後、第２のスロットにおけるシンボルの分布を示す。Ｓ０Ｐ０Ｓ１Ｐ１とＳ２Ｐ２Ｓ３Ｐ３の２つのシンボルグループを例として説明する。
【００９０】
図１２の左側のテーブルに示すように、Ｓ０はＴｘ０にマッピングし、Ｒ０までの距離は０であり、Ｓ０＊はＴｘ２にマッピングし、Ｒ２までの距離は２であり、Ｓ１はＴｘ１にマッピングし、Ｒ１までの距離は１であり、Ｓ１＊はＴｘ３にマッピングし、Ｒ３までの距離は３であるので、距離の和は０＋２＋１＋３＝６となる。
【００９１】
本発明の実施例の方法を利用する場合、まずシンボルグループＳ０Ｐ０Ｓ１Ｐ１に対応する送信ダイバーシティ行列における異なったＳＦＢＣブロックの順番を調整し、それからアンテナポート及びサブキャリアマッピングを行ない、右側のテーブルに示すシンボルの分布を得る。Ｓ０はＴｘ０にマッピングし、Ｒ０までの距離は１であり、Ｓ０＊はＴｘ２にマッピングし、Ｒ２までの距離は０であり、Ｓ１はＴｘ１にマッピングし、Ｒ１までの距離は０であり、Ｓ１＊はＴｘ３にマッピングし、Ｒ３までの距離は１であるので、距離の和は１＋０＋０＋１＝２となる。
【００９２】
以下、Ｓ２Ｐ２Ｓ３Ｐ３を例として説明する。
【００９３】
図１２の左側のテーブルに示すように、Ｓ２はＴｘ０にマッピングし、Ｒ０までの距離は１であり、Ｓ２＊はＴｘ２にマッピングし、Ｒ２までの距離は２であり、Ｓ３はＴｘ１にマッピングし、Ｒ１までの距離は０であり、Ｓ３＊はＴｘ３にマッピングし、Ｒ３までの距離は１であるので、距離の和は１＋２＋０＋１＝４となる。
【００９４】
本発明の実施例の方法を利用する場合、まずシンボルグループＳ２Ｐ２Ｓ３Ｐ３に対応する送信ダイバーシティ行列における同一ＳＦＢＣブロック内のシステムビットシンボル（Ｓ）と検証ビットシンボル（Ｐ）の順番を調整し、それからアンテナポート及びサブキャリアマッピングを行ない、図１２の右側のテーブルに示すシンボルの分布を得る。Ｓ２はＴｘ０にマッピングし、Ｒ０までの距離は１であり、Ｓ２＊はＴｘ２にマッピングし、Ｒ２までの距離は１であり、Ｓ３はＴｘ１にマッピングし、Ｒ１までの距離は１であり、Ｓ３＊はＴｘ３にマッピングし、Ｒ３までの距離は０であるので、距離の和は１＋１＋１＋０＝３となる。
【００９５】
全体的に言うと、比較的に重要なシンボルがあるサブキュリアから、対応するアンテナ上の参照信号があるサブキャリアまでの周波数領域の距離の和が最も小さいため、比較的に重要なシンボルはよりよい保護を受けている。
【００９６】
もちろん、参照信号が含まれないＯＦＤＭシンボルに対する上記処理は、他のマルチアンテナシステムでも同様に適用するので、ここでは枚挙しない。
【００９７】
本発明の実施例の基地局は、変調器、物理アンテナ、ソート・分類モジュール、アンテナポート組合せモジュール、第１のマッピング処理モジュール、及び送信処理モジュールと含む。
【００９８】
ソート・分類モジュールは、変調器から出力された、第１タイプのシンボル（記載を便利にするため、「Ａ」に命名する）と第２タイプのシンボル（記載を便利にするため、「Ｂ」に命名する）とを含む第１のシンボル系列におけるシンボルに対してソート・分類を行ない、第２のシンボル系列を得る。上記第２のシンボル系列には、第３のシンボル系列を含む。上記第３のシンボル系列は、シンボルグループからなる。各上記シンボルグループにおいて、第１タイプのシンボルと、第２タイプのシンボルとが交差に配列している。言い換えれば、上記第２のシンボル系列には、少なくとも一つのシンボルグループを含み、上記シンボルグループにおいて、ＡとＢが交差に配列する。上記Ａに関するシンボルの重要度は、上記Ｂに関するシンボルの重要度より高い。
【００９９】
もちろん、可能な限り伝送の信頼性を向上させるために、第２のシンボル系列に可能な限り多くのシンボルグループを含ませるべきである。
【０１００】
変調器から出力された第１のシンボル系列において、ＡとＢの数が等しくなると、第２のシンボル系列のすべてのシンボルグループには、ＡＢＡＢの方式で配列可能である。
【０１０１】
変調器から出力された第１のシンボル系列において、Ａの数がＢの数より大きくなると、余分なＡはＡＡＡＡの方式で配列し、他のシンボルグループはＡＢＡＢの方式で配列する。
【０１０２】
変調器から出力された第１のシンボル系列において、Ｂの数がＡの数より大きくなると、余分なＢはＢＢＢＢの方式で配列し、他のシンボルグループはＡＢＡＢの方式で配列する。
【０１０３】
従来技術のＬＴＥにおいて、変調出力シンボルの重要度が考慮されない。ＳＦＢＣ行列に送られるシンボルがすべて重要なシンボル（システムビットシンボルＳ）である場合、ＳＦＢＣの特徴を考慮すると、必ず重要なシンボルが信頼性の低いサブキャリアに割り当てられることがあり、必然的に伝送の信頼性を低減する。
【０１０４】
送信ダイバーシティ符号化行列が占めるサブキャリアには常に信頼性の高いサブキャリアと信頼性の低いサブキャリアを含むため、上記のソート・分類モジュールおいて、重要なシンボルと重要でないシンボルとを交差して配列させることにより、新たなソート・分類が送信符号化行列の特性を充分に適応でき、それにより重要なシンボルがすべて信頼性の高いサブキャリアに割り当てられることを可能にする。
【０１０５】
アンテナポート組合せモジュールは、アンテナポートの現在スロットにおける参照信号の分布方式に基づいて、上記現在スロットに対応する第１のアンテナポート組合せ方式を特定する。
【０１０６】
上記第１のアンテナポート組合せ方式は、下記の特徴を有する。
【０１０７】
上記現在スロットにおいて、上記第１のアンテナポート組合せ方式に従い、シンボルグループに対応する送信ダイバーシティ行列におけるシンボルに対してアンテナポート及びサブキャリアマッピング処理を行なった後、同一のアンテナポートにマッピングした二つのシンボルのうち、Ａに関するシンボルがあるサブキャリアが、上記同一のアンテナポートの参照信号があるサブキャリアまで比較的に近い。
【０１０８】
周波数差分の角度から見れば、下記のように理解できる。
【０１０９】
Ａに関するシンボルがあるサブキャリアと、上記同一のアンテナポートの参照信号があるサブキャリアとの間の中心周波数差分の絶対値は、Ｂに関するシンボルがあるサブキャリアと、第１のアンテナポートの参照信号があるサブキャリアとの間の中心周波数差分の絶対値より小さい。
【０１１０】
簡単に言えば、同一のアンテナポートにマッピングしたシンボルは、Ａ（サブキャリアａにマッピングしたと仮定する）とＢ（サブキャリアｂにマッピングしたと仮定する）か、Ａ＊（サブキャリアｃにマッピングしたと仮定する）、‐Ｂ＊（サブキャリアｄにマッピングしたと仮定する）である。上記第１のアンテナポート組合せ方式に従い、シンボルグループに対応する送信ダイバーシティ行列におけるシンボルに対してアンテナポート及びサブキャリアマッピング処理を行なった後、サブキャリアｂより、サブキャリアａは、Ａがあるアンテナポートの参照信号があるサブキャリアまで比較的に近く、サブキャリアｄより、サブキャリアｃは、Ａ＊があるアンテナポートの参照信号があるサブキャリアまで比較的に近い。
【０１１１】
第１のマッピング処理モジュールは、参照信号が含まれるＯＦＤＭシンボルに対して、上記現在スロットにおいて周波数切替ダイバーシティ技術を用いて、上記第１のアンテナポート組合せ方式に従い、シンボルグループに対応する送信ダイバーシティ行列におけるシンボルに対してアンテナポート及びサブキャリアマッピング処理を行なう。
【０１１２】
アンテナポート組合せが特定した場合、従来技術のアンテナポート及びサブキャリアマッピング処理方法に従い、アンテナポート及びサブキャリアマッピング処理を行なう。
【０１１３】
送信処理モジュールは、サブキャリアにマッピングしたシンボルに対して高速フーリエ逆変換及びサイクルプレフィックス挿入処理を行なって物理アンテナにマッピングして送信する。
【０１１４】
また、シンボルグループに対応する送信ダイバーシティ行列における比較的に重要なシンボルはよりよい保護を受けられるようにするために、更に第２のマッピング処理モジュールを含む。
【０１１５】
第２のマッピング処理モジュールは、参照信号が含まれないＯＦＤＭシンボルに対して、上記現在スロットにおいて周波数切替ダイバーシティ技術を用いて、上記第１のアンテナポート組合せ方式に従い、上記送信ダイバーシティ行列におけるシンボルに対してアンテナポート及びサブキャリアマッピング処理を行なう。上記第１のアンテナポート組合せ方式に従い上記送信ダイバーシティ行列におけるシンボルに対してアンテナポート及びサブキャリアマッピング処理を行なった後、比較的に重要なシンボルがあるサブキャリアから、対応するアンテナポート上の参照信号があるサブキャリアまでの周波数領域の距離の和が最も小さい。
【０１１６】
本発明の実施例の有効性を検証するために、本発明の提案に対してシミュレーションを行い、従来技術との比較を行なった。シミュレーション条件は下記のとおりである。
【０１１７】
マルチアンテナチャネル：相関しないＴＵ６チャネル
アンテナ配置：基地局では４アンテナ、端末では４アンテナ
チャネル推定アルゴリズム：最小二乗誤差法と線形補間法
フレーム構造と参照信号の位置：ＴＳ３６．２１１とＴＳ３６．２１２に準じる
ユーザの移動速度：１２０キロメートル／時間
図１３では、ＱＰＳＫ変調採用であり、資源ブロック（Resource Block）は１０個、コードレートは１／２と２／３のＴｕｒｂｏコードのフレームエラーレートである。図１３から分かるように、本実施例の方法は、ＬＴＥ案と比較して、より低いフレームエラーレート性能を取得できる。
【０１１８】
図１４では、１６ＱＡＭ変調採用であり、資源ブロック（Resource Block）は１０個、コードレートは１／２と２／３のＴｕｒｂｏコードのフレームエラーレートである。高階変調方式の場合、本実施例の方法は、ＬＴＥ案と比較して、より低いフレームエラーレート性能を取得できる。
【０１１９】
図１５では、１６ＱＡＭ変調採用であり、資源ブロック（Resource Block）は２個と１０個、コードレートは１／２のＴｕｒｂｏコードのフレームエラーレートである。資源ブロックの数が比較的に少ない場合、本実施例の方法は、ＬＴＥ案と比較して、より低いフレームエラーレート性能を取得できる。
【０１２０】
以上は、本発明の好ましい実施方式に過ぎない。なお、当該分野の一般技術者にとって、本発明の原理を背離しない前提で、若干の改進や修飾が考えられる。ただし、これらの改進や修飾も本発明の保護範囲にあることが理解されよう。
【図１】
0005588772.tif 000002
【図２】
0005588772.tif 000003
【図３】
0005588772.tif 000004
【図４】
0005588772.tif 000005
【図５】
0005588772.tif 000006
【図６】
0005588772.tif 000007
【図７】
0005588772.tif 000008
【図８】
0005588772.tif 000009
【図９】
0005588772.tif 000010
【図１０】
0005588772.tif 000011
【図１１】
0005588772.tif 000012
【図１２】
0005588772.tif 000013
【図１３】
0005588772.tif 000014
【図１４】
0005588772.tif 000015
【図１５】
0005588772.tif 000016